(57)【特許請求の範囲】
【請求項１】
複数の中空凸部が形成された２枚の熱可塑性樹脂シートからなる芯材と、
前記芯材の両面にそれぞれ積層された面材と、を備えたせき板を有するコンクリート養生型枠であって、
前記２枚の熱可塑性樹脂シートは、互いの中空凸部同士が突き合わされるように対向していて、
前記せき板の側端面および底面は封止されており、
前記せき板のコンクリート打設面側の前記熱可塑性樹脂シートおよび前記面材に複数の貫通孔が形成されていることを特徴とする、コンクリート養生型枠。
【請求項２】
水分の通水を許容し、セメント粒子の通過を抑止することが可能なカバー材により前記せき板のコンクリート打設面が覆われていることを特徴とする、請求項１に記載のコンクリート養生型枠。
【請求項３】
前記中空凸部が、錐台状であることを特徴とする、請求項１または請求項２に記載のコンクリート養生型枠。
【請求項４】
前記中空凸部が、円錐台状であり、前記中空凸部の下底部の直径が３〜１６ｍｍ、前記中空凸部の上底部の直径が１．５〜４ｍｍ、前記中空凸部の高さが３〜１３ｍｍであり、かつ、隣り合う前記中空凸部同士の下底部の間隔が１０ｍｍ以下であることを特徴とする、請求項３に記載のコンクリート養生型枠。
【請求項５】
前記せき板は、コンクリート打設面の反対側の面に形成された断面視Ｖ字状の溝を有することを特徴とする、請求項１乃至請求項４のいずれか１項に記載のコンクリート養生型枠。
【請求項６】
前記せき板のコンクリート打設面に凹部が形成されており、
前記凹部に、当該凹部と同形状の補強用板材が配設されていることを特徴とする、請求項１乃至請求項５のいずれか１項に記載のコンクリート養生型枠。
【請求項７】
複数の中空凸部が形成された２枚の熱可塑性樹脂シートを互いの中空凸部同士を突き合わせた状態で熱融着してなる芯材と、前記芯材の両面にそれぞれ積層された面材とを備え、一方の前記熱可塑性樹脂シートおよび前記面材に複数の貫通孔が形成されたせき板を使用するコンクリート部材の構築方法であって、
一対の前記せき板を、前記貫通孔が形成された面同士が対向するように間隔をあけて立設させる型枠組立工程と、
前記せき板同士の間にコンクリートを打設する打設工程と、
前記コンクリートを養生する養生工程と、を備え、
前記養生工程において、前記芯材の中空部分に水分を供給することを特徴とする、コンクリート部材の構築方法。
【請求項８】
前記せき板として、前記貫通孔が形成された面に凹部が形成されているとともに、前記凹部に当該凹部と同形状の補強用板材が配設されたものを使用し、
前記型枠組立工程において、前記補強用板材に当接するスペーサーを配設することを特徴とする、請求項７に記載のコンクリート部材の構築方法。
【発明の詳細な説明】
【技術分野】
【０００１】
本発明は、コンクリート養生型枠およびコンクリート部材の構築方法に関する。
【背景技術】
【０００２】
水中においてコンクリートの養生を行うことがコンクリートの強度、緻密性、ひび割れ抵抗性、耐久性を高めるのに適していることが知られている。
【０００３】
そのため、コンクリートの養生に際して乾燥を防ぎ、水中養生に近い環境を作ることを目的とした養生方法が採用されている。また、温度ひび割れ抑制の観点からは、コンクリートの内部と外部における温度差を低減させることも効果がある。
このような養生方法としては、保水性を備えた型枠を利用する養生方法がある。
【０００４】
例えば、特許文献１には、図７に示すように、せき板１０２と、せき板１０２の内側面を覆う保水部１０３と、保水部１０３の内側面を覆う表面部１０４とを備えていて、打設コンクリートの養生において打設初期の余剰水の排出と、凝結後の水中養生とを行うことを可能としたコンクリート養生型枠１０１が開示されている。
【先行技術文献】
【特許文献】
【０００５】
【特許文献１】特開２０１０−１６３７８５号公報
【発明の概要】
【発明が解決しようとする課題】
【０００６】
特許文献１のコンクリート養生型枠１０１は、型枠の組み立て作業として、せき板１０２を組み立てる工程と、せき板１０２の内側面で保水部１０３を形成する工程と、保水部１０３の内側面に表面部１０４を設置する工程とを行う必要があり、作業に手間を要していた。
また、部材点数が多いことや、打設コンクリートＣの圧力に対して十分な耐力を備えた材料で保水部１０３を形成する必要があること等から、型枠材としては高価であった。
【０００７】
本発明は、前記の問題点を解決することを目的とするものであり、コンクリートの耐久性を向上させることを可能とし、かつ、安価で取り扱い性に優れたコンクリート養生型枠およびこれを利用したコンクリート部材の構築方法を提供することを課題とする。
【課題を解決するための手段】
【０００８】
前記課題を解決するために、本発明のコンクリート養生型枠は、複数の中空凸部が形成された２枚の熱可塑性樹脂シートからなる芯材と、前記芯材の両面にそれぞれ積層された面材とを備えたせき板を有するコンクリート養生型枠であって、前記２枚の熱可塑性樹脂シートは、互いの中空凸部同士が突き合わされるように対向していて、前記せき板の側端面および底面は封止されており、前記せき板のコンクリート打設面側の前記熱可塑性樹脂シートおよび前記面材に複数の貫通孔が形成されていることを特徴としている。
【０００９】
かかるコンクリート養生型枠によれば、コンクリート打設初期の余剰水を貫通孔から排出させることができる。また、凝結後は、芯材の隙間に水分を貯留することで、貫通孔からコンクリートの表面に直接的に水分を供給することができるため、水中養生に近い環境を作ることができる。そのため、耐久性に優れたコンクリート部材を形成することができる。
【００１０】
また、かかるコンクリート養生型枠は、せき板を構成する芯材の内部に連続した隙間を備えているため、該せき板を設置するのみで、保水部を備えた型枠の組み立てが完了する。そのため、部材点数が少なく、安価である。
【００１１】
なお、水分の通水を許容し、セメント粒子の通過を抑止することが可能なカバー材（例えば、透水性シート、透水性板材、不織布等）により前記せき板のコンクリート打設面が覆われていれば、せき板の貫通孔の目詰まりを防止することができる。
カバー材は、透水性シート、透水性板材、不織布等のうちの少なくとも２種類が積層されたものであってもよい。
【００１２】
前記中空凸部が、錐台状であれば、保水部の通水性が向上する。このとき、前記中空凸部が円錐台状であり、前記中空凸部の下底部の直径が３〜１６ｍｍ、前記中空凸部の上底部の直径が１．５〜４ｍｍ、前記中空凸部の高さが３〜１３ｍｍであり、かつ、隣り合う前記中空凸部同士の下底部の間隔が１０ｍｍ以下であってもよい。
【００１３】
前記せき板が、コンクリート打設面とは反対側の面に断面視Ｖ字状の溝を形成しておけば、コンクリート打設面側の面材がヒンジ部となって、前記溝において折り曲げ可能となるので、角部や屈折部等への対応が容易となる。
【００１４】
前記せき板に、コンクリート打設面側に凹部を形成し、前記凹部に当該凹部と同形状の補強用板材を配設してもよい。このようにすると、せき板の間隔保持等を目的として配設されたスペーサー（セパレータ）から支圧応力を受けても、せき板が変形することを防止することができ、ひいては、コンクリート部材の表面の平坦性が維持される。
【００１５】
また、本発明のコンクリート部材の構築方法は、複数の中空凸部が形成された２枚の熱可塑性樹脂シートを互いの中空凸部同士を突き合わせた状態で熱融着してなる芯材と、前記芯材の両面にそれぞれ積層された面材とを備え、一方の前記熱可塑性樹脂シートおよび前記面材に複数の貫通孔が形成されたせき板を使用するコンクリート部材の構築方法であって、一対の前記せき板を、前記貫通孔が形成された面同士が対向するように間隔をあけて立設させる型枠組立工程と、前記せき板同士の間にコンクリートを打設する打設工程と、前記コンクリートを養生する養生工程とを備え、前記養生工程において、前記芯材の中空部分に水分を供給することを特徴としている。
【００１６】
かかるコンクリート部材の構築方法によれば、水中養生に近い状態でコンクリートを養生することが可能となるので、緻密なコンクリート部材を構築することができる。また、養生型枠の組立が簡易なため、施工性に優れている。
【００１７】
また、前記せき板として、前記貫通孔が形成された面に凹部が形成されているとともに、前記凹部に当該凹部と同形状の補強用板材が配設されたものを使用し、前記型枠組立工程において、前記補強用板材に当接するスペーサーを配設してもよい。
【発明の効果】
【００１８】
本発明のコンクリート養生型枠およびコンクリート部材の構築方法によれば、安価で取り扱い性に優れていて、かつ、コンクリートの耐久性を向上させることが可能となる。
【図面の簡単な説明】
【００１９】
【図１】本発明の実施形態に係るコンクリート養生型枠の概要を示す断面図である。
【図２】図１のコンクリート養生型枠のせき板を示す拡大断面図である。
【図３】図２に示すせき板の分解斜視図である。
【図４】（ａ）および（ｂ）は図１のせき板の溝を示す拡大断面図である。
【図５】せき板の凹部および補強用板材を示す図であって、（ａ）は断面図、（ｂ）は正面図である。
【図６】（ａ）および（ｂ）はコンクリート養生型枠によるコンクリート養生状況を示す図である。
【図７】従来のコンクリート養生型枠を示す断面図である。
【発明を実施するための形態】
【００２０】
本実施形態のコンクリート養生型枠１は、図１に示すように、コンクリート打設予定位置を挟むように配置された一対のせき板２，２と、せき板２，２のコンクリート打設面側を覆うカバー材３，３とを備えている。なお、コンクリート養生型枠１の配置（せき板２の配置や数等）は限定されるものではない。
【００２１】
せき板２は、図２に示すように、複数の中空凸部２２，２２，…が形成された２枚の熱可塑性樹脂シート（以下、「突起付きシート」という）２１，２１を、互いの中空凸部２２，２２同士を突き合わせた状態で熱融着してなる芯材２０と、芯材２０の両面にそれぞれ積層された面材２３，２３とを有する所謂ツインコーンタイプの樹脂製中空構造板により構成されている。
【００２２】
本実施形態の突起付きシート２１，２１の中空凸部２２，２２，…は、図３に示すように、円錐台状であり、同一の寸法を有している。中空凸部２２の下底部２２ａの直径は３〜１６ｍｍの範囲内に設定することが好ましく、中空凸部２２の上底部２２ｂの直径は下底部２２ａよりも小さな値で、かつ、１．５〜４ｍｍの範囲内にあることが好ましい。また、中空凸部２２の高さは３〜１３ｍｍの範囲内で設定することが好ましい。また、隣り合う中空凸部２２，２２同士の下底部２２ａの間隔は、１０ｍｍ以下に設定されている。
なお、複数の中空凸部２２，２２，…は、間隔をあけて配置されているので、図２に示すように、芯材２０の内部には、連続した空間２４が形成される。
【００２３】
なお、本実施形態では、中空凸部２２が円錐台状に形成されている場合について説明するが、中空凸部２２の形状はこれに限定されるものではなく、例えば角錐台状であってもよい。また、中空凸部２２の大きさや配置も限定されない。
【００２４】
また、突起付きシート２１に用い得る熱可塑性樹脂としては、特に限定されるものではないが、ホモポリプロピレン、ランダムポリプロピレン、ブロック状ポリプロピレン等のポリプロピレン系樹脂が、生産性、コスト面、物性、耐低温性、耐熱性等の特性とのバランス等の観点から好ましい。
【００２５】
突起付きシート２１の剛性を高める目的で、タルク、炭酸カルシウム、ガラス繊維等のフィラーを副材料として添加してもよい。フィラーを配合する場合は、コスト面、成形性、取り扱い性等とのバランスを考慮すると、添加量は総重量に対してタルクの場合は５〜３０質量％、炭酸カルシウムの場合は２０質量％程度以下とするのが好ましい。さらに、フィラーの他に、酸化防止剤、紫外線吸収剤、帯電防止剤、抗菌剤、難燃剤、光安定剤、滑剤等を必要に応じて添加もしてもよい。
【００２６】
突起付きシート２１は、図３に示すように、複数の中空凸部２２，２２，…が、一方の面に規則的に設けられたものである。中空凸部２２は、その下底側が開口しており、中空円錐台状を呈している。
【００２７】
各中空凸部２２は、外周面が先端から根元にかけて直径が次第に増大するテーパー面の円錐台状に形成され、かつ、各中空凸部２２は、同一形状、大きさに形成されている。
【００２８】
各中空凸部２２のテーパー角度（各凹部内面の立ち上がり角度）θは、４５〜８０°の範囲内とし、好ましくは５０〜７０°の範囲内とする。立ち上げ角度が４５°未満であると、上底の面積が小さくなるので、対向する突起付きシート２１の中空凸部２２に突き合わせて熱融着する際、接着面積が小さくなり、得られた芯材２０に荷重を掛けた際に、接着部が剥がれ易く、十分な耐圧強度が得られないおそれがある。一方、立ち上げ角度θを８０°以上とすると、中空凸部２２の周壁の厚みが薄くなってフィルム状となり、芯材２０としての十分な耐圧強度が得られないおそれがある。
【００２９】
本実施形態のコンクリート養生型枠１に用いられるせき材は、打設コンクリートの圧力（側圧）に対して変形することがない強度・剛性を有した芯材２０により構成する。幅５０ｍｍ×長さ１５０ｍｍの試験片を用い、支点間距離を１００ｍｍとし、曲げ速度を２０ｍｍ／ｍｉｎとしての三点曲げ試験を実施した際に、曲げ弾性勾配が１５００Ｎ／ｃｍ以上となる芯材２０を使用することが好ましい。なお、曲げ弾性勾配が１５００Ｎ／ｃｍ以下となると、設置時に型枠に撓みが発生することがある。
【００３０】
芯材２０の両面に積層された面材２３，２３は、熱可塑性樹脂により構成された板材またはシート（熱可塑性樹脂シート）からなる。面材２３の材質は限定されるものではないが、芯材２０との相溶性があり熱融着が可能であること、コスト面、物性、耐低温性、耐熱性等の特性とのバランス等に優れる等の観点から、例えば、ホモポリプロピレン、ランダムポリプロピレン、ブロック状ポリプロピレン等のポリプロピレン系樹脂が好ましい。
【００３１】
また、高い耐熱性や剛性を求められる場合は、ガラス繊維強化熱可塑性樹脂シートで面材２３を形成するとよい。ガラス繊維強化熱可塑性樹脂としては、ガラス繊維強化ポリプロピレンが好ましい。ガラス繊維の混合率は、ポリプロピレン系樹脂に対して５〜３０質量％の範囲が好ましく、１０〜２０質量％がより好ましい。なお、５質量％未満では、耐熱性向上の効果が得られず、３０質量％を超えると伸びが小さくなり、Ｔダイからシート状に押出し、芯材２０に貼り合せる前に、切断してしまうなど、芯材２０と面材２３の接着力が低下してしまう。
【００３２】
芯材２０と面材２３，２３との貼り合わせは、芯材２０を中央に連続的に供給し、その上下に設置されたＴダイから面材２３，２３をシート状に溶融押出しを行い、少なくとも芯材２０側又は面材２３側のいずれかの接触面が溶融軟化した状態で接触させ、面材２３側より温調可能なロールを用いて圧着することにより行うことができる。芯材２０の表面は、熱板や熱風を用いて予熱しておき、その後、溶融軟化状の面材２３と接触させ圧着すると、より高い接着力を得ることができる。
【００３３】
せき板２の側端面および底面は、シール材により封止（シール）されている（図３参照）。本実施形態では、シール材（封止材）を熱溶着することにより封止するが、封止方法は限定されるものではなく、例えば目止め材により封止してもよい。なお、封止材を構成する材料は限定されないが、本実施形態では、面材２３と同じ材質からなる。
【００３４】
せき板２は、側面と底面が封止されているので、内部の空間２４に水を通水したとしても漏水することがない。そのため、せき板２は、空間２４を保水部として利用することができ、ひいては、打設コンクリートの養生時に、水中養生に近い環境を形成することができる。
【００３５】
図２に示すように、せき板２のコンクリート打設面側の突起付きシート２１および面材２３には、複数の貫通孔２５，２５，…が形成されている。
貫通孔２５は、突起付きシート２１および面材２３を貫通しており、いくつかの貫通孔２５は、空間２４に至る。
【００３６】
貫通孔２５は、モルタル分や細骨材等により目詰まりしないように、直径１ｍｍ以上とすることが好ましい。なお、貫通孔２５の大きさは、通水性を確保する観点からは、中空凸部２２の上底部の直径よりも大きな直径であるのが望ましく、せき板２の強度を維持する観点からは、中空凸部２２の下底部の直径よりも小さい直径であるのが望ましい。
【００３７】
貫通孔２５の配置は限定されるものではないが、本実施形態では、貫通孔２５同士の間隔（隣り合う貫通孔２５，２５の間の距離）を１０ｍｍ以上とする。
また、貫通孔２５の形成方法は限定されるものではないが、本実施形態では、せき板２の一面側から、多数の針状部材が植設された板材を押し当て、針状部材を刺し込むことにより、貫通孔２５を形成する。
【００３８】
本実施形態のせき板２には、図４の（ａ）に示すように、コンクリート打設面の反対側の面に断面視Ｖ字状の溝２６が形成されている。
溝２６は、コンクリート構造物の形状に応じて、せき板２を折り曲げることが可能となるように形成されている（図４の（ｂ）参照）。
【００３９】
溝２６は、せき板２の一面側（コンクリート打設面側）の面材２３を残した状態で、他面側（コンクリート打設面と反対側）から切込みを入れることにより形成されている。こうすることで、図４の（ｂ）に示すように、残された面材（一面側の面材）２３がヒンジ部となって、コンクリート打設面と反対側に折り曲げることが可能となる。
【００４０】
溝２６は、内角が１２０°以下となるように形成する。溝２６の内角の大きさは、せき板２の折り曲げ角度（コンクリート部材の形状）に応じて設定する。
なお、せき板２に溝２６を形成する際には、せき板２内に通水される水分が漏水することのないように、切断面を封止する必要がある。切断面の封止方法は、限定されるものではないが、例えば、目止め材による封止や、熱融着によるシールなどが考えられる。
【００４１】
せき板２には、図１に示すように、空間２４に連通する水抜き孔２７が形成されている。本実施形態では、他面側の面材２３に管材を貫通させることにより水抜き孔２７を形成している。なお、水抜き孔２７の形成方法は限定されるものではなく、他面側の面材２３に貫通孔を形成してもよい。また、水抜き孔２７の配置や数は限定されるものではない。
【００４２】
図５の（ａ）に示すように、せき板２のコンクリート打設面には凹部２８が形成されている。
この凹部２８には、当該凹部２８と同形状の補強用板材４が配設されている。凹部２８は、コンクリート打設時に配設されるスペーサー（図示せず）の配設位置に応じて配設されている。
【００４３】
凹部２８は、一面側の面材２３および突起付きシート２１に所望の形状で切り込みを形成し、この切り込みを境に一方の領域を押圧することにより形成された薄板部である。
つまり、凹部（薄板部）２８は、芯材２０の中空部分（空間２４）が押しつぶされて他の部分（一般部）よりも厚さが薄くなっている部分である。
【００４４】
なお、凹部２８が形成されている部分の厚さは、配置される補強用板材４の厚みに応じて適宜設定することができるが、凹部２８の厚さを、その他の部分（一般部）の厚さの１／２よりも薄くすると、加圧加工面と反対の面（他面側）に押圧痕が浮き出てしまうため、凹部２８の厚さは、一般部の厚さの１／２以上であることが望ましい。
【００４５】
補強用板材４を構成する材料は限定されるものではないが、本実施形態では、鉄、鋼鉄、アルミニウム合金、銅合金等の曲げ弾性率の高い金属板により構成する。なお、物性とコストのバランスの観点から、鉄、鋼鉄、アルミニウム合金が好ましい。
【００４６】
補強用板材４は、凹部２８と同形状とすることで、凹部２８に配置された状態では、補強用板材４の表面と面材２３の表面とが面一となる。
こうすることで、せき板２の表面に凹凸が形成されないようになるので、コンクリート構造物の表面の平坦性を維持することができる。
【００４７】
図１に示す、カバー材３は、水分の通水を許容し、セメント粒子の通過を抑止することが可能な材料により構成されている。本実施形態のカバー材３は、０．１〜５ｍｍの厚みの透水シートにより構成されている。なお、カバー材３を構成する材料は限定されるものではなく、例えば自然有機繊維あるいは合成繊維の織布や不織布の他、吸水性ポリマーを内包させた織布や不織布、無数の小孔を空けたフィルムや多孔板、あるいは透水性のフィルム状素材、およびこれらを複合した多層構造のシート等により構成すればよい。
【００４８】
カバー材３は、型枠組立時にせき板の表面に設置してもよいし、せき板のコンクリート打設面側の面材に、予め熱接着しておいてもよい。
なお、カバー材を面材に予め設置しておけば、打設現場での手間を省くことが可能であるとともに、カバー材３のズレやヨレによって生じる打設コンクリートの表面の乱れを抑制することができる。
また、コンクリート打設面側の面材２３に、予め不織布を熱溶着しておくことで、透水性シートを設置する際の滑りやシワ撚りを防止するようにしてもよい。
【００４９】
次に、コンクリート養生型枠１によるコンクリート部材の構築方法について説明する。
コンクリート部材の構築方法は、型枠組立工程と、コンクリート打設工程と、養生工程と、脱型工程を備えている。
【００５０】
型枠組立工程は、コンクリート養生型枠１を所定の位置において組み立てる工程である。型枠組立工程では、コンクリート部材の構築が予定された位置に、一対のせき板２，２をコンクリート部材の厚み分の隙間を空けて対向するように配置する。
せき板２，２は、貫通孔２５，２５，…が形成された面同士が対向するように配置する。
【００５１】
せき板２，２の配置に伴い、鉄筋スペーサーを適宜配置しつつ必要な鉄筋（図示せず）を配筋する。鉄筋スペーサーは、設置された補強用板材４に当接させる。
なお、鉄筋の配筋は、必要に応じて行えばよい。
【００５２】
コンクリート打設工程は、せき板２，２同士の間の隙間にコンクリートを打設する工程である。
コンクリートの打設後に発生するブリージング水を含む余剰水Ｗｓは、図６の（ａ）に示すように、貫通孔２５，２５，…から空間２４（保水部）に流出する。空間２４に溜まった余剰水は、養生工程において打設コンクリートＣの表面に供給する水分として使用してもよいし、水抜き孔２７から排水してもよい。
【００５３】
養生工程は、打設コンクリートに所定の強度が発現するまで養生する工程である。
養生工程では、せき板２，２の空間２４（保水部）に水分Ｗ０を供給し、水中養生に近い環境で打設コンクリートの養生を行う。空間２４への水分Ｗ０の供給は、水抜き孔２７を閉塞した状態で、空間２４の上方から水Ｗを流し込むことで行う。
【００５４】
空間２４に供給された水分Ｗ０は、貫通孔２５，２５，…およびカバー材３を介して打設コンクリートの全面にむらなく供給される。なお、空間２４に供給される水分Ｗ０としては、水を使用すればよいが、水の他に、水酸化カルシウム（飽和）溶液、表面含浸剤、浸透性防錆剤等を使用することで、打設コンクリートの硬化体をより緻密に形成し、耐久性を向上させることを図ってもよい。これらの液体を使用すれば、外部から有効成分を追加で供給することになり、水和反応を促進したり、水和生成物を増量したりして、物質の移動経路となりやすい連続的な空隙を一層効果的に遮断することができ、さらには、養生効果に加えて、撥水効果や防錆効果などの付加的な機能を付与することもできる。
【００５５】
また、マスコンクリートに適用した場合には、水分Ｗ０として温水を使用してもよい。水分Ｗ０を温水にすれば、セメントの発熱によるコンクリート内部と外部の温度差を軽減することが可能となる。また、空間２４から水分Ｗ０を排出した後もコンクリート養生型枠１を存置すれば、空気による断熱層が形成されるので、コンクリートを保温することも可能である。これにより、温度応力に起因するひび割れを防止することができる。
【００５６】
脱型工程は、コンクリート養生型枠１の脱型を行う工程であり、打設コンクリートに所定の強度が発現した後に行われる。
【００５７】
脱型工程では、まず、水抜き孔２７から空間２４に貯留された水分Ｗ０を排水し、次に、せき板２を打設コンクリートの硬化体の表面から取り外す。
【００５８】
以上、本実施形態のコンクリート養生型枠１によれば、せき板２の内部に空間２４（保水部）が形成されているため、保水部に水分を貯留することで水中養生に近い環境を形成することが可能となる。したがって、コンクリート表面の水和が促され、より緻密なコンクリート硬化体を形成することが可能となる。
【００５９】
また、コンクリート養生型枠１の組み立ては、せき板２，２の組み立てのみで完了するため、作業が簡易である。そのため、保水版等を設置する従来のコンクリート養生型枠に比べて、作業性が大幅に向上する。また、せき板２，２は、合成樹脂により構成されているため、軽量で取り扱いが容易であるとともに、安価である。
また、部材点数が少ないため、安価である。
【００６０】
また、コンクリート養生型枠１によれば、水中養生を現場で実現することを可能とし、コンクリート養生中の水分の逸散を防止するとともに、積極的に水分をコンクリートに供給することで、コンクリートの品質を向上させることができる。また、貫通孔２５，２５，…からコンクリートの表層部分の余剰水や気泡を排除することで、コンクリート部材の表面の美観が向上するとともに、コンクリート部材の表面の強度や耐久性が向上する。
【００６１】
錐台状の中空凸部同士を付き合わせることで空間（保水部）が形成されているため、柱状の部材が配設されている場合と比較して空間の断面積が広く、通水性に優れている。
【００６２】
せき板２が、断面視Ｖ字状の溝２６を有していて、折り曲げ可能に構成されているため、角部や屈折部を有するコンクリート部材を簡易かつ高品質に施工することができる。つまり、角部や屈折部に対して、せき板２自体を折り曲げることで対応できるため、複数のせき板を組み合わせる従来の施工方法と比べて、施工性に優れている。
【００６３】
また、せき板２の表面にカバー材３が配設されていることで、脱型時にコンクリート養生型枠１をきれいに取り外すことが可能である。また、打設コンクリートとせき板２との間にカバー材３が介在していることにより、打設コンクリートの流出が抑止できる。また、カバー材３を介して、養生時に打設コンクリートの表面に水分Ｗ０を直接的かつ均一に供給することが可能となる。さらに、カバー材３は、厚みが０．１〜５ｍｍの範囲内と薄く、打設コンクリートの圧力により変形したとしても、コンクリート部材の形状に影響を及ぼすものではない。
【００６４】
また、カバー材３がコンクリート打設後に発生するブリージング水を含む余剰水を吸い取るとともに、打設コンクリート表面の気泡を吸い取ることが可能となるので、打設コンクリートの表面を平坦に仕上げることが可能となる。また、カバー材３は、養生時には保水部に貯留された水分Ｗ０を打設コンクリートの表面に供給する役割も果たす。
【００６５】
また、スペーサーの位置に対応して、補強用板材４が配設されているため、スペーサーの位置においてせき板２が変形することがない。そのため、コンクリート部材の打設面が変形することがなく、高品質に施工を行うことができる。
また、スペーサーを配置することで、高品質なコンクリート部材を施工することができる。
【００６６】
補強用板材４は、せき板２の表面と面一に配設されるため、コンクリートの打設面に凹凸が形成されることが抑制されている。
【００６７】
以上、本発明に係る実施形態について説明した。しかし、本発明は、前述の実施形態に限られず、前記の各構成要素については、本発明の趣旨を逸脱しない範囲で、適宜変更が可能である。
【００６８】
例えば、前記実施形態では、一対のせき板を利用して、コンクリート部材の表面と裏面を覆うものとしたが、複数のせき板を組み合わせることで、コンクリート部材の下面等を含む全周囲を覆うものとしてもよく、コンクリート養生型枠１の配置は限定されるものではない。
また、せき板は、鉛直面について採用してもよい。
【００６９】
また、前記実施形態では、コンクリート養生型枠１を現場打ちコンクリートに使用するものとしたが、工場などにおいて、プレキャスト部材を形成する場合に当該コンクリート養生型枠を使用してもよい。
【００７０】
コンクリート養生型枠１により製造されるコンクリート部材が限定されるものではなく、例えば、壁部材、擁壁、カルバートの壁面、床版コンクリート、トンネルの覆工コンクリート等、あらゆるコンクリート部材に適用可能である。
【００７１】
カバー材は、必要に応じて設置すればよく、省略してもよい。また、カバー材として、透水性の板材を採用してもよい。
溝は必要に応じて形成すればよい。
【００７２】
また、補強用板材は必要に応じて配設すればよく、省略してもよい。また、補強用板材を配置しない場合は、せき板に凹部を形成する必要はない。
【符号の説明】
【００７３】
１    コンクリート養生型枠
２    せき板
２０  芯材
２１  突起付きシート（熱可塑性樹脂シート）
２２  中空凸部
２３  面材
２５  貫通孔
２６  溝
３    カバー材
４    補強用板材
【図１】
0006004519.tif 000002
【図２】
0006004519.tif 000003
【図３】
0006004519.tif 000004
【図４】
0006004519.tif 000005
【図５】
0006004519.tif 000006
【図６】
0006004519.tif 000007
【図７】
0006004519.tif 000008